(57)【要約】  【課題】使い易く掃除が容易な、解毒法の施術器具を提供する。  【解決手段】複数の通気孔を周面に有する筒状部３０と、筒状部３０の一端に回転可能に係合され、棒状体９０を結合するための挿通孔を有する第一の端部４０と、筒状部３０の他端に取り外しできるように結合され、温灸体を筒状部３０の内部に臨むように保持する第二の端部２０と、筒状部３０の内部に配置され、第二の端部２０を筒状部３０から取り外して取り出すことができる円筒状の網６０とを備えている。第二の端部２０が保持する温灸体に点火し、第１の端部４０に結合された棒状体９０を把持して、筒状部３０を皮膚上で回転移動させ、患部のウオームケアを行うことができる。ウオームケアの終了後は、第二の端部２０を筒状部３０から取り外し、円筒状の網６０を取り出して洗浄し、また、筒状部３０の内側を洗浄する。  【選択図】図３
2007259876.tif 000002
【特許請求の範囲】
【請求項１】
複数の通気孔を周面に有する筒状部と、
前記筒状部の一端に回転可能に係合され、棒状体を結合するための挿通孔を有する第一の端部と、
前記筒状部の他端に取り外しできるように結合され、温灸体を前記筒状部の内部に臨むように保持する第二の端部と、
前記筒状部の内部に配置され、前記第二の端部を前記筒状部から取り外して取り出すことができる円筒状の網と
を備えることを特徴とする解毒法に使用する施術器具。
【請求項２】
請求項１に記載の施術器具であって、前記棒状体は、その一端に、前記温灸体の熱で揮発する液体が含浸された物質を保持し、前記物質が前記筒状部の内部に臨むように前記棒状体が前記第一の端部の前記挿通孔に結合されることを特徴とする施術器具。
【請求項３】
請求項１に記載の施術器具であって、前記温灸体の熱で揮発する液体が前記網の網目で保持されていることを特徴とする施術器具。
【請求項４】
請求項１に記載の施術器具であって、前記第二の端部の、前記筒状部に結合される側の反対側に板状の施術具が取り付け可能であることを特徴とする施術器具。
【請求項５】
請求項４に記載の施術器具であって、前記板状の施術具と前記第二の端部、及び、前記第二の端部と前記筒状部が、それぞれ、前記板状の施術具の施術時における回転により、ネジが締まるように螺子結合されていることを特徴とする施術器具。
【請求項６】
請求項１に記載の施術器具であって、前記第二の端部が、前記温灸体を保持する手段として、鞘部の移動に伴って集合または離散する複数の指状弾性片を備えていることを特徴とする施術器具。
【発明の詳細な説明】
【技術分野】
【０００１】
本発明は、体内の老廃物を排出するデトックス（解毒）の施術に使用される施術器具に関し、特に、施術時の使い易さや、掃除の容易さなどを求めたものである。
【背景技術】
【０００２】
人間の体は、日々、体内で生成される老廃物を体外に排出して健康を保っているが、ストレス・運動不足などで五臓六腑の機能が低下すると、こうした老廃物が排出されずに体内に「毒素」として蓄積される。
デトックス（解毒）は、体の部分を刺激して、体内に蓄積した老廃物の排出を促す療法であり、足つぼ健康法などが知られている。
【０００３】
この解毒法に分類される療法の一つに、中国で民間療法として伝承されている「打法」が存在する。この解毒法では、
（１）毒素排出の流れを作る「トリートメント」、
（２）老廃物を引き出す「パッティング」、
（３）毒素が現れた部分を中心に温める「ウオームケア」
の順番で施術が行われる。
「トリートメント」では、例えば、患者の肩の部分を経絡に沿って擦ったり、つぼを押したりして毒素排出の流れが作られる。「パッティング」では、「トリートメント」を施した箇所を叩いて老廃物が引き出される。図１１は、「パッティング」によって肩の部分に現れた老廃物を示している。
「ウオームケア」は、毒素が現れた箇所を温灸の熱で温める処理であり、この処理により肌の肌理が整えられる。皮膚上に現れた老廃物は、施術の後、３日から１週間程度できれいに消え、肌は以前より艶やかになる。
これらの施術は、手技や簡単な器具を用いて行われているが、この解毒法が日本で未だ普及していないこともあって、施術器具の改良は進んでいない。
【０００４】
一方、“もぐさ”の燃焼熱を利用して体質を改善する温灸療法は、古くから日本に広まり、温灸器具の改良や工夫が数多く行われている。例えば、下記特許文献１には、温灸効果を高めるため、温熱の作用と共に、ビワの葉のエキスをもぐさの燃焼熱で揮発させて皮膚から体内に浸透させる温灸器が開示されている。
この温灸器は、図１２に示すように、温灸器本体１４の先端に螺合されるキャップ４を備えており、このキャップ４内にビワエキスを吸収した脱脂綿などが収納される。もぐさ２は、外側が紙で被覆された直径２５ｍｍの棒状のものを使用する。施療時には、このもぐさ２を温灸器本体１４に差込み、もぐさ２の先端に点火した後、温灸器本体１４にキャップ４を螺合固着し、温灸器本体１４を握って、キャップ４の先を患部に押し付ける。こうすると、もぐさ２の熱と煙がキャップ４中央の孔を通って皮膚に達し、また、その熱でキャップ４内のビワエキスが揮発して皮膚に浸透する。
【特許文献１】実公平７−２２２６７号公報
【発明の開示】
【発明が解決しようとする課題】
【０００５】
この温灸器は、その先端を皮膚に一定時間押し付けて使用するが、前記解毒法の「ウオームケア」では、点火した“もぐさ”等の温灸体を施術器具内に収容し、この施術器具を皮膚の表面に沿って動かしながら、毒素が現れた患部を温める。このように、施術器具の使い方は、療法によって異なるため、各施術器具は、その使い方に適した構造に改良する必要がある。
【０００６】
ただ、もぐさ等の温灸体を使用する施術器具では、共通して次のことが言える。
火が点いた状態の温灸体を扱うため、火傷の発生や火の飛散を防ぐための安全性が要求される。
また、点火した温灸体は燃え続けることが必要であり、燃焼の安定性が求められる。
また、器具内部は、温灸体の燃焼で汚れることが避けられないため、器具内部の掃除がし易い構造に設計するなどして、器具を清潔に保つことが必要である。
また、もぐさ等の燃焼時には、独特のにおいや煙が発生する。このにおいや煙を苦痛に感じる人達が少なくない。
【０００７】
本発明は、こうした点を考慮して創案したものであり、解毒法の施術に用いる器具であって、使い易く、安全で、掃除が容易であり、また、匂いの好き嫌いなどにも対応することができる施術器具を提供することを目的としている。
【課題を解決するための手段】
【０００８】
本発明の解毒法に使用する施術器具は、複数の通気孔を周面に有する筒状部と、筒状部の一端に回転可能に係合され、棒状体を結合するための挿通孔を有する第一の端部と、筒状部の他端に取り外しできるように結合され、温灸体を筒状部の内部に臨むように保持する第二の端部と、筒状部の内部に配置され、第二の端部を筒状部から取り外して取り出すことができる円筒状の網とを備えている。
この施術器具は、アタッチメントを取り付けて各種の施術を行うことが可能であり、例えば、パッティング面を持つ棒状体を第１の端部に結合し、筒状部を把持してパッティング処理を行うことができる。また、第二の端部が保持する温灸体に点火し、第１の端部に結合された棒状体を把持して、筒状部を皮膚上で回転移動させ、患部のウオームケアを行うことができる。ウオームケアの終了後は、第二の端部を筒状部から取り外し、円筒状の網を取り出して洗浄し、また、筒状部の内側を洗浄する。
【０００９】
また、本発明の施術器具では、棒状体が、その一端に、温灸体の熱で揮発する液体が含浸された物質を保持し、この物質が筒状部の内部に臨むように棒状体は第一の端部の挿通孔に結合される。
そのため、ウオームケア処理の間、香油などの揮発成分が、熱と共に筒状部の外部に発散する。
【００１０】
また、本発明の施術器具では、温灸体の熱で揮発する液体が、筒状部の内部に配置される網の網目で保持される。
この施術器具では、揮発用液体の保持手段を別に設ける必要がない。
【００１１】
また、本発明の施術器具では、第二の端部の、筒状部に結合される側の反対側に板状の施術具が取り付け可能である。
この施術器具では、筒状部を把持し、板状施術具を患者の患部に当ててトリートメントの施術を行うことができる。
【００１２】
また、本発明の施術器具では、板状施術具と第二の端部、及び、第二の端部と筒状部が、それぞれ、板状施術具の施術時における回転により、ネジが締まるように螺子結合されている。
この施術器具では、トリートメント処理の際に、筒状部と板状施術具との結合が緩んでしまうことが防止できる。
【００１３】
また、本発明の施術器具では、第二の端部が、温灸体を保持する手段として、鞘部の移動に伴って集合または離散する複数の指状弾性片を備えている。
この施術器具では、鞘部を動かして複数の指状弾性片を離散させると、その中心に温灸体を受け入れる口が大きく開く。鞘部を元に戻すと、複数の指状弾性片は集合して口をすぼめ、そのため、温灸体が安定的に保持される。
【発明の効果】
【００１４】
本発明の施術器具を用いることにより、解毒法の施術を効率的に行うことができる。また、本発明の施術器具は、掃除が容易であり、常に清潔な状態に保つことができる。
また、温灸体の燃焼時に香油の芳香成分や体に有益な成分を拡散させることができるため、患者は、豊かな気分で、効果的な施療を受けることができる。
【発明を実施するための最良の形態】
【００１５】
図１及び図３は、本発明の実施形態における施術器具の使用時の形態を示す斜視図、図２は、図１の施術器具を構成する各部品の断面図、図４は、図３の施術器具を構成する一部部品の断面図、また、図５は、図３の施術器具を構成する各部品の断面図である。
この施術器具は、基本構成部品として、温灸体の燃焼室を構成する筒状部３０と、筒状部３０の内部に配置される円筒状の網６０と、筒状部３０の一端に回転可能に嵌合された第一端部４０と、筒状部３０の他端に螺合される第二端部２０とを備えており、また、施術に応じて、板状のトリートメント具５０が第二端部２０に結合され（図１）、あるいは、棒状のパッティング具９０が第一端部４０に結合される（図３）。
【００１６】
筒状部３０は、周壁に長円形の複数の通気孔３１を有している。また、図２に示すように、筒状部３０の一端には、ボールベアリング４１を介して、第一端部４０が回転可能に嵌合されており、第一端部４０は、筒状部３０から抜け出さないように筒状部３０に係合されている。また、筒状部３０の他端の内周には、通常と逆向き（反時計方向）に雌ネジ３２が切ってあり、これに第二端部２０の逆向きの雄ネジ２４が螺合される。
第二端部２０は、棒状の温灸体７０（図５）が挿入される挿入孔２１を有している。挿入孔２１の内部には、コイルバネ２３が挿入孔２１の内周を一周して円環状に配置されている。このコイルバネ２３の円環の中心に温灸体７０の先端を挿入すると、コイルバネ２３は弾性変形して温灸体７０を通し、貫通した温灸体７０の周囲を弾圧するため、温灸体７０がコイルバネ２３の円環の中心位置に保持される。
【００１７】
また、第二端部２０は、筒状部３０と結合する側の反対側に、通常と逆向き（反時計方向）に雌ネジが切られた螺合孔２６（図２）を有しており、トリートメント処理を行う際に、この螺合孔２６に、トリートメント具５０から垂直に起立した螺子突起５１が螺合される。
トリートメント具５０の螺子突起５１は逆向きの雄ネジを有している。また、板状のトリートメント具５０は、図１に示すように、その周縁に、つぼを押すための突起５２や、体の凹凸に合わせた曲線５３を有している。
【００１８】
第一端部４０は、パッティング具９０の一端が挿通される挿通孔４２を有し、挿通孔の一部に雌ネジが設けられている。パッティング処理及びウオームケア処理を行う際は、パッティング具９０の一端が第一端部４０の挿通孔４２に挿入され、パッティング具９０の雄ネジ９２（図４）が、挿通孔４２の雌ネジに螺合される。
パッティング具９０は、図４に示すように、第一端部４０に挿入される側の先端に、香油を含浸した繊維束８０を収容する繊維束収容部９３を有し、他端には、両方の面に、それぞれ高さの異なる多数の突起が形成されたパッティング部９１を有している。
【００１９】
筒状部３０の内部に配置される円筒状網６０は、筒状部３０の内径より僅かに小径の円筒形状を有し、温灸体７０の灰を通さない程度の目の細かい網で構成されている。この円筒状網６０を筒状部３０に装着したとき、図５に示すように、その両端が、第一端部４０と第二端部２０との間に位置決めされる。そのため、円筒状網６０は、筒状部３０から第二端部２０を外せば、筒状部３０から取り出すことができる。
第一端部４０、筒状部３０、第二端部２０及びトリートメント具５０は、熱伝導性が良好な銅やその合金などで形成されている。図１の状態に組合せた施術器具の長さは２０ｃｍであり、太さの直径は２ｃｍ強である。
円筒状網６０は、銅やその合金、あるいは耐熱性の合成樹脂などで形成されている。
パッティング具９０は、合成樹脂などで形成されており、筒状部３０から突出する長さは約２０ｃｍである。また、筒状部３０に挿入される長さは、繊維束収容部９３に収容された繊維束８０が筒状部３０の通気孔３１の位置に届くように、その長さが設定されている。
【００２０】
温灸体７０は、棒状に成形された、煙や臭いが少ないものを使用する。なお、実開平７−３１０５０号公報には、臭気や煙が少ない棒状の灸治療剤について記載されている。
繊維束８０は、タバコのフィルタと同様にアセテート繊維などの樹脂繊維を結合して圧縮したものや、ガラス繊維などを結合して圧縮したものを使用する。
また、繊維束８０には、アロマオイルを含浸させる。アロマオイルは、ラベンダー、ジャスミンなど各種の植物から精製された芳香油であり、香りの成分が濃縮されている。
【００２１】
次に、この施術器具の使用法について説明する。
先ず、施術者は、円筒状網６０を筒状部３０に挿入し、温灸体７０を装着せずに第二端部２０の雄ネジ２４を筒状部３０の雌ネジ３２に螺合して、第二端部２０を筒状部３０に結合する。更に、トリートメント具５０の螺子突起５１を第二端部２０の螺合孔２６に螺合してトリートメント具５０を第二端部２０に結合し、図１の状態に組み立てる。
施術者は、この施術器具の筒状部３０を掴み、トリートメント具５０の周縁部分を患者の施術箇所の経絡にあてがい、筒状部３０を押したり引いたりしてトリートメント処理を施す。このとき、施術者は、トリートメント具５０の周縁から、体の凹凸に合った曲線５３部分を選んで患者にあてがう。
【００２２】
また、筒状部３０を操作して、トリートメント具５０の突起５２を患者の“つぼ”に押し付ける。この操作の際に、トリートメント具５０に対して、筒状部３０の回りを回転させる力が働き、トリートメント具５０と筒状部３０との結合が緩むことが懸念される。しかし、このトリートメント具５０の緩みは、トリートメント具５０の回転により雄ネジ２４と雌ネジ３２との螺合、及び、螺子突起５１と螺合孔２６との螺合が締まる方向にネジを切っておけば、防止できる。トリートメント具５０が図１の形状を有している場合は、雄ネジ２４と雌ネジ３２との螺合、及び、螺子突起５１と螺合孔２６との螺合を通常の逆方向（反時計回りの回転でネジが締まる方向）にネジを切ることで、トリートメント具５０の緩みが防止できる。
【００２３】
トリートメント処理が終了すると、図１の状態の施術器具からトリートメント具５０を取り外し、第一端部４０の側にパッティング具９０を取り付ける。このとき、パッティング具９０の繊維束収容部９３には繊維束８０を収容せずに、繊維束収容部９３の側を第一端部４０の挿通孔４２に挿入し、パッティング具９０の雄ネジ９２を挿通孔４２の雌ネジに螺合して、図３の状態に組み立てる。
施術者は、この施術器具の筒状部３０を掴み、パッティング具９０のパッティング部９１で患者の患部を軽く叩き、パッティング処理を行う。
【００２４】
パッティング処理が終了すると、施術者は、図５に示すように、第一端部４０からパッティング具９０を取り外し、アロマオイルの含浸した繊維束８０を繊維束収容部９３に収容して、パッティング具９０を再び第一端部４０に結合する。さらに、筒状部３０から第二端部２０を取り外し、棒状の温灸体７０を第二端部２０の挿入孔２１に配置されているコイルバネ２３の円環の中心に挿入し、コイルバネ２３で保持された温灸体７０に点火する。そして、この温灸体７０を保持する第二端部２０を、再び筒状部３０に結合し、図３の状態に組み立てる。
【００２５】
施術者は、この施術器具のパッティング具９０の棒状部分を掴み、筒状部３０を患者の皮膚上で動かし、老廃物が現れた患部のウオームケアを行う。
筒状部３０は、ボールベアリング４１を介して、第一端部４０に回転可能に結合されているため、この操作の間、患者の皮膚に触れた筒状部３０は、第二端部２０とともに回転しながら皮膚上を移動する。この回転移動により、筒状部３０の通気孔３１及び円筒状網６０を通じて、外部から筒状部３０の内部に新鮮な空気が絶えず取り込まれる。そのため温灸体７０は、消えること無く燃焼を続ける。
【００２６】
温灸体７０の燃焼熱は、筒状部３０内の気体を温め、筒状部３０自体を温めるため、筒状部３０に触れた皮膚が温められる。また、繊維束８０に含浸されているアロマオイルは、この熱で揮発し、芳香成分が円筒状網６０及び通気孔３１を通じて筒状部３０の外部に拡散する。
そのため、患者は、癒される香りの中でウオームケアを受けることができる。
ウオームケアの終了後、施術者は、筒状部３０から第二端部２０を取り外し、円筒状網６０を筒状部３０から取り出して洗浄し、また、筒状部３０の内側を洗浄する。
【００２７】
このように、この施術器具は、筒状部３０から第二端部２０を取り外して、円筒状網６０を取り出すことができるため、円筒状網６０や筒状部３０内側の掃除が容易である。
また、温灸体７０の燃焼時にアロマオイルの芳香成分が拡散するため、患者は、豊かな気分で施療を受けることができる。アロマオイルの種類は、患者の好みに応じて選択することが可能である。
【００２８】
なお、ここでは、パッティング具９０の棒状部分を利用してウオームケアを行う場合について説明したが、図６に示すように、繊維束収容部９３を備えた専用の取手９４を用意して、第一端部４０からパッティング具９０を取り外した後に、この取手９４を第一端部４０に結合し、取手９４を掴んでウオームケア処理を行うようにしても良い。
【００２９】
また、第一端部４０への取手９４（あるいはパッティング具９０）の結合は、図７に示すように、取手９４に円周溝を形成して、そこに金属のＣリング（または弾性体のＯリング）９５を嵌め、第一端部４０の内周には、円周溝４３を設け、この取手９４を第一端部４０に嵌合するようにしても良い。
この構造では、第一端部４０に取手９４を嵌めるとき、Ｃリング９５は第一端部４０の内面に押されて、取手９４の円周溝の中に押し込まれ、その状態で取手９４とともに第一端部４０内を移動する。取手９４がさらに進み、Ｃリング９５が第一端部４０の円周溝４３の位置に達すると、Ｃリング９５は弾性復帰して、その一部分が円周溝４３に嵌まり、第一端部４０に対する取手９４の挿入方向の位置が保持される。
また、第一端部４０から取手９４を取り外すときは、筒状部３０を握って取手９４を手前に引くと、Ｃリング９５は、円周溝４３から外れ、第一端部４０の内面に押されて取手９４の円周溝の中に押し込まれる。その状態で取手９４を引き出せば、取手９４は第一端部４０から外れる。
【００３０】
また、繊維束８０に代えて、アロマオイルの含浸が可能な、脱脂綿、海綿等の綿類や、ウレタンフォーム等の発泡体等を用いることもできる。
また、繊維束８０を用いずに、円筒状網６０にアロマオイルを滴下して、円筒状網６０の編み目でアロマオイルを保持するようにしても良い。この場合、図８に示すように、パッティング具９０や取手９４には、繊維束収容部９３を設ける必要が無くなる。
また、円筒状網６０を耐熱性の合成樹脂で形成し、使い捨てにすることもできる。
また、アロマオイルに代えて、温灸体の熱により揮発して体内に浸透する、体に有益な薬剤などを使用することもできる。
また、温灸体７０は、煙の少ないものを使用することが好ましいが、匂いに関しては、患者の好む香りを発生するように、もぐさ成分に香料成分を加えた温灸体などを使用しても良い。
【００３１】
また、ここで説明した施術器具は、第一端部４０が筒状部３０から分離できない構造であるが、図９に示すように、円筒状の中継部４４を設け、中継部４４に結合した第一端部４０が、筒状部３０から分離できるように構成することもできる。
この第一端部４０は、中継部４４に対し、ボールベアリング４１を介して回転可能であり、且つ、分離できないように嵌合されている。一方、中継部４４は、筒状部３０の円周溝３３に嵌るＣリング（または弾性体のＯリング）４５を具備し、図７の取手９４と同様に、筒状部３０に対して嵌め外しできるように結合される。この場合、円筒部３０の両端が取り外しできるため、円筒部３０内の掃除が更に容易になる。
【００３２】
また、第二端部２０での温灸体７０の保持は、図１０に示す構造により行うこともできる。
この第二端部２０は、図１０（ａ）に示すように、挿通孔２０６を有しており、温灸体保持具２００が挿通孔２０６の途中まで挿入され、栓ネジ２０４によって固定される。温灸体保持具２００は、温灸体７０を掴む複数の指状弾性片２０１と、この指状弾性片２０１を束ねる円筒状の鞘部２０５と、鞘部２０５を押し上げるスプリング２０２と、挿通孔２０６の段差に当接する鍔部２０３とを有している。
図１０（ｂ）に示すように、鞘部２０５を指状弾性片２０１に嵌め、スプリング２０２に対抗する力を鞘部２０５に加えて鍔部２０３の方向に動かすと、複数の指状弾性片２０１は、蓮の花が開くように、口を大きく広げる。一方、鞘部２０５に加えていた力を抜くと、鞘部２０５はスプリング２０２によって押し上げられ、そのため、指状弾性片２０１の各々は、外側に折れ曲がった部分が鞘部２０５の内壁で押されて口をすぼめる。
従って、スプリング２０２に抗して鞘部２０５を鍔部２０３の方向に動かし、指状弾性片２０１の口を広げて温灸体７０を挿し込み、次いで、鞘部２０５から手を離せば、温灸体７０は、口をすぼめた指状弾性片２０１によって保持される（図１０（ｂ）の状態）。
【００３３】
図１０（ｃ）に示すように、温灸体７０を保持した温灸体保持具２００は、第二端部２０の挿通孔２０６に挿入する。温灸体保持具２００の鍔部２０３が挿通孔２０６の段差に当接するまで温灸体保持具２００を挿通孔２０６に押し込むと、温灸体保持具２００に保持された温灸体７０は、挿通孔２０６を通り抜けて、第二端部２０から露出する。この状態で栓ネジ２０４を挿通孔２０６の後端に螺合し、鍔部２０３を挿通孔２０６の段差に押し付けて、温灸体保持具２００を挿通孔２０６内に固定する。
この温灸体保持具２００は、温灸体７０を安定的に保持することができる。
【産業上の利用可能性】
【００３４】
本発明の施術器具は、トリートメントやウオームケアの処理を効率的に、また、清潔で安全に行うことが可能であり、この施術器具は、これらの処理を伴う解毒法の施術に広く利用することができる。
【図面の簡単な説明】
【００３５】
【図１】本発明の実施形態における施術器具の使用形態を示す斜視図
【図２】図１の施術器具の各部品断面図
【図３】本発明の実施形態における施術器具の他の使用形態を示す斜視図
【図４】図３のパッティング具の断面図
【図５】図３の施術器具の各部品断面図
【図６】本発明の実施形態における施術器具の取手を示す図
【図７】本発明の実施形態における取手の結合構造を示す図
【図８】本発明の実施形態における施術器具の円筒状網で香油を保持する場合の構造を示す図
【図９】本発明の実施形態における施術器具の第一端部を嵌め外し可能にした構造を示す図
【図１０】本発明の実施形態における施術器具の温灸体保持具を示す図
【図１１】パッティングによって肩の部分に現れた老廃物を示す図
【図１２】従来の温灸器を示す図
【符号の説明】
【００３６】
２      もぐさ
４      キャップ
１４    温灸器本体
２０    第二端部
２１    挿入孔
２３    コイルバネ
２４    雄ネジ
２６    螺合孔
３０    筒状部
３１    通気孔
３２    雌ネジ
３３    円周溝
４０    第一端部
４１    ボールベアリング
４２    挿通孔
４３    円周溝
４４    中継部
４５    Ｃリング
５０    トリートメント具
５１    螺子突起
５２    突起
５３    曲線
６０    円筒状網
７０    温灸体
８０    繊維束
９０    パッティング具
９１    パッティング部
９２    雄ネジ
９３    繊維束収容部
９４    取手
９５    Ｃリング
２００  温灸体保持具
２０１  指状弾性片２
２０２  スプリング
２０３  鍔部
２０４  栓ネジ
２０５  鞘部
２０６  挿通孔
【図２】
2007259876.tif 000003
【図４】
2007259876.tif 000004
【図５】
2007259876.tif 000005
【図６】
2007259876.tif 000006
【図７】
2007259876.tif 000007
【図８】
2007259876.tif 000008
【図９】
2007259876.tif 000009
【図１０】
2007259876.tif 000010
【図１２】
2007259876.tif 000011
【図１】
2007259876.tif 000012
【図３】
2007259876.tif 000013
【図１１】
2007259876.tif 000014